(57)【要約】      （修正有）【課題】シミュレーション対象物、デバイスおよび異なる通信プロトコルを使用する管理システムを提供する。【解決手段】管理システム１００は、検知機能または検知機能および作動機能を有する第１デバイス１１と、作動機能を有する第２のデバイス１２と、デバイス間で通信するゲートウェイ１５とを含む。デバイスのうちの少なくとも１つは、第１の通信プロトコルによって通信し、ゲートウェイを介して変換された異なる通信プロトコルを使用する。ゲートウェイは、第１のデバイスおよび第２のデバイスに対応するシミュレーション対象物を生成するために、制御プロトコルにより、通信コンテンツを変換する。シミュレーション対象物は、検知機能に対応する検知特性を有する。状況シミュレーションユニットは、検知特性に応じてデバイスのうちの少なくとも１つを作動させるために、複数のシミュレーション対象物の作動特性を判定する。【選択図】図１
2020017270.tif 000002
【特許請求の範囲】
【請求項１】
シミュレーション対象物の管理システムであって、
第１の検知機能を有するか、または、前記第１の検知機能および第１の作動機能を有する第１のデバイスと、
第２の作動機能を有する第２のデバイスと、
前記第１のデバイスおよび前記第２のデバイスの異なる通信プロトコル間で通信するゲートウェイと
を含み、
前記第１のデバイスおよび前記第２のデバイスの少なくとも１つは、第１の通信プロトコルによって通信し、
前記ゲートウェイは、さらに、制御プロトコルによる、変換された通信コンテンツに応じて、前記第１のデバイスに対応する第１のシミュレーション対象物および前記第２のデバイスに対応する第２のシミュレーション対象物を生成するための状況シミュレーションユニットをさらに備え、
前記第１のシミュレーション対象物は、前記第１の検知機能に対応する第１の検知特性を含み、前記状況シミュレーションユニットは、複数のシミュレーション対象物のうちの少なくとも１つにおける少なくとも１つの対応する作動特性を判定することにより、前記第１の検知特性に応じて前記第１のデバイスおよび前記第２のデバイスのうちの少なくとも１つを作動させる、シミュレーション対象物の管理システム。
【請求項２】
前記ゲートウェイは、少なくとも１つのコントローラーを含み、前記第１のデバイスは、前記第１の通信プロトコルによって通信し、前記第２のデバイスが第２の通信プロトコルによって通信し、前記少なくとも１つのコントローラーは、前記第１のデバイスおよび前記第２のデバイスの前記異なる通信プロトコル間で通信し、前記状況シミュレーションユニットは、前記変換された通信コンテンツに応じて、前記第１のシミュレーション対象物および前記第２のシミュレーション対象物を生成する、請求項１に記載のシミュレーション対象物の管理システム。
【請求項３】
前記第１の通信プロトコルまたは前記第２の通信プロトコルは、無線通信プロトコルおよび／または有線通信プロトコルを含む、請求項１に記載のシミュレーション対象物の管理システム。
【請求項４】
前記第１の検知特性が作動要件に適合する場合、前記状況シミュレーションユニットは、前記第１のデバイスを作動させるために、前記第１のシミュレーション対象物における第１の作動特性を判定するか、または、前記状況シミュレーションユニットは、前記第１のデバイスおよび前記第２のデバイスを作動させるために、前記第１のシミュレーション対象物における前記第１の作動特性と、前記第２のシミュレーション対象物における第２の作動特性とを判定する、請求項１に記載のシミュレーション対象物の管理システム。
【請求項５】
第２の検知機能を有するか、または、前記第２の検知機能および第３の作動機能を有する第３のデバイスをさらに備え、
前記状況シミュレーションユニットは、前記第３のデバイスに対応する第３のシミュレーション対象物を生成するか、または、前記第３のデバイスに対応する前記第３のシミュレーション対象物と、第４のデバイスに対応する第４のシミュレーション対象物とを生成することにより、前記状況シミュレーションユニットは、第２の作動特性に対応する、前記第３または前記第４のデバイスを作動させるために、前記第３のシミュレーション対象物または前記第４のシミュレーション対象物における作動特性を判定する、請求項１に記載のシミュレーション対象物の管理システム。
【請求項６】
異なる複数の通信プロトコルを使用して複数の外部デバイスを管理するためのシミュレーション対象物の管理システムであって、前記複数の外部デバイスのうちの１つが第１の検知機能を含み、
前記シミュレーション対象物の管理システムは、
前記複数の外部デバイスとの通信変換を行うよう構成された少なくとも１つのコントローラーと、
制御プロトコルにより、変換された通信コンテンツに応じて、前記複数の外部デバイスに対応する複数のシミュレーション対象物を生成する状況シミュレーションユニットと
を備え、
前記複数のシミュレーション対象物は、前記第１の検知機能に対応する第１の検知特性を有し、前記状況シミュレーションユニットは、前記第１の検知特性に対応する前記複数のシミュレーション対象物における対応する作動特性を判定することにより、前記複数の外部デバイスのうちの少なくとも１つを作動させる、シミュレーション対象物の管理システム。
【請求項７】
前記複数の外部デバイスは、第１の通信プロトコルおよび第２の通信プロトコルによってそれぞれ通信し、前記複数の外部デバイスは、前記異なる通信プロトコルにより、前記状況シミュレーションユニットとの通信変換を行うために、前記少なくとも１つのコントローラーを使用し、前記状況シミュレーションユニットは、前記制御プロトコルにより、前記変換された通信コンテンツに応じて、前記複数のシミュレーション対象物を生成する、請求項６に記載のシミュレーション対象物の管理システム。
【請求項８】
前記第１の通信プロトコルまたは前記第２の前記通信プロトコルは、無線通信プロトコルおよび／または有線通信プロトコルを含む、請求項６に記載のシミュレーション対象物の管理システム。
【請求項９】
前記第１の検知特性が作動要件に適合する場合、前記状況シミュレーションユニットは、対応する前記複数の外部デバイスのうちの１つ、または、対応する前記複数の外部デバイスを作動させるために、前記対応する複数のシミュレーション対象物における作動特性を判定する、請求項６に記載のシミュレーション対象物の管理システム。
【請求項１０】
前記複数の外部デバイスのうちの別の１つが、前記第１の検知機能と同じ物理的または化学的特性を検知するための第２の検知機能を有し、前記状況シミュレーションユニットは、少なくとも１つの別の対応する前記外部デバイスを作動させるために、前記第２の検知機能に対応する少なくとも１つの前記シミュレーション対象物における作動特性を判定する、請求項６に記載のシミュレーション対象物の管理システム。
【発明の詳細な説明】
【技術分野】
【０００１】
本発明は、シミュレーション対象物（オブジェクト）、デバイス、および、それらの管理システムに関し、特に、シミュレーション対象物、デバイス、および、異種ネットワークにおいて異なる通信プロトコルを使用する管理システムに関する。
【背景技術】
【０００２】
近年、（例えば、ビル内の）異種ネットワークアプリケーションでは、種々のデバイスにおけるスマート管理に対する需要が増大している。現在、既知の通信プロトコルが市場にいくつか存在しており、それらの各々は、それ自身の利点を有している。例えば、従来技術の開示／文献には特許文献１がある。しかし、１つのデバイス、または、（１つもしくは複数の）同じデバイス内において、すべての通信プロトコル間を同時に扱うことは困難である。デバイスが複数の通信プロトコルによって動作する必要がある場合、研究開発のコスト、および製品の生産コストは大きく増加する。ビル内の複数のデバイスは、現在、特定の通信プロトコルに準拠し、ビル内の複数のデバイスの機能は通常、何十年もの間、使用され、保たれる必要がある。しかし、当該複数の電子デバイスの寿命は、現行の特定の通信プロトコルに対する準拠を保つための当該複数の電子デバイスの保守がかなり困難であるように、通常、１０年を超えることはない。
【０００３】
あるビル内またはある場所内では、通常、温度計、湿度計、冷房および暖房デバイス、照明デバイス等などの種々の屋内生活機能に供される、異なる機能をそれぞれが有する複数のデバイスを配置することが、多くの場合、必要である。一般に、上述したデバイスはそれぞれ、異なる複数の通信プロトコルを使用することにより、互いに通信する。異なる通信プロトコルを使用することに加えて、上記複数のデバイスは、通常、ビル内において、固定されるか、または埋め込まれた方法で配置される。当該複数のデバイスが機能不能である場合、容易に修理して交換することができず、保守がより困難で複雑になる。
【先行技術文献】
【特許文献】
【０００４】
【特許文献１】台湾特許第Ｉ６０８７１２号公報
【発明の概要】
【発明が解決しようとする課題】
【０００５】
要約すると、従来技術によってもたらされる課題の１つは、当該複数の通信プロトコルに対する複数のデバイスの上述した長期的な保守を含む。異なる通信プロトコルの複数のデバイスを選択または交換することが必要な場合、複数のデバイスの異なる通信プロトコル間の通信チャネルをどのようにして確立するかは大きな課題の１つである。このことに鑑みて、本発明は、異なる複数の通信プロトコル間の通信を提供することが可能なシミュレーション対象物の管理システムを提供する。
【課題を解決するための手段】
【０００６】
上記および他の目的のために、本発明は、異なる複数の通信プロトコルによって対応するシミュレーション対象物を生成することにより、複数のデバイスを制御する、シミュレーション対象物を有する管理システムを提供する。
【０００７】
一観点では、本発明は、第１のデバイスと、第２のデバイスと、少なくとも１つのコントローラーおよび状況シミュレーションユニットを含むゲートウェイとを含むシミュレーション対象物の管理システムである。第１のデバイスは、第１の検知機能を有するか、または第１の検知機能および第１の作動機能を有する。第２のデバイスは、第２の作動機能を有し、第１のデバイスおよび第２のデバイスのうちの少なくとも１つは、第１の通信プロトコルによって通信する。ゲートウェイは、コントローラーを使用することにより、第１のデバイスおよび第２のデバイスの異なる通信プロトコル間で通信する。ゲートウェイは、制御プロトコルにより、第１のデバイスに対応する第１のシミュレーション対象物および第２のデバイスに対応する第２のシミュレーション対象物を生成するために、通信コンテンツを変換するための状況シミュレーションユニットを含む。第１のシミュレーション対象物は、第１の検知機能に対応する第１の検知特性を有する。状況シミュレーションユニットは、複数のシミュレーション対象物のうちの少なくとも１つにおける少なくとも１つの対応する作動特性を判定することにより、第１の検知特性に応じて第１および第２のデバイスの少なくとも１つを作動させる。
【０００８】
一実施形態では、シミュレーション対象物の管理システムは、モノのインターネット（ＩｏＴ）において使用される。
【０００９】
一実施形態では、第１の通信プロトコルまたは第２の通信プロトコルは、無線通信プロトコルおよび／または有線通信プロトコルを含む。
【００１０】
一実施形態では、第１のデバイスは、第１の通信プロトコルによって通信し、第２のデバイスは、第２の通信プロトコルによって通信し、ゲートウェイにおける少なくとも１つのコントローラーは、第１のデバイスと第２のデバイスとの間の異なる通信プロトコルを変換する。状況シミュレーションユニットは、変換された通信コンテンツに応じて、第１のシミュレーション対象物および第２のシミュレーション対象物を生成する。
【００１１】
一実施形態では、第１の検知特性が作動条件に適合する場合、状況シミュレーションユニットは、第１のデバイスを作動させるために、第１のシミュレーション対象物における第１の作動特性を判定するか、または、状況シミュレーションユニットは、第１のデバイスおよび第２のデバイスを作動させるために、第１のシミュレーション対象物における第１の作動特性と、第２のシミュレーション対象物における第２の作動特性とを同時に判定する。
【００１２】
一実施形態では、シミュレーション対象物の管理システムはさらに、第２の検知機能を有するか、または、第２の検知機能および第３の作動機能を有する第３のデバイスを含む。ゲートウェイは、異なる通信プロトコルにより、第３のデバイスと通信するか、または、異なる通信プロトコルにより、第３のデバイスおよび第４のデバイスと通信するために、少なくとも１つのコントローラーを使用する。状況シミュレーションユニットは、第３のデバイスに対応する第３のシミュレーション対象物を生成するか、または、第３のデバイスに対応する第３のシミュレーション対象物と、第４のデバイスに対応する第４のシミュレーション対象物とを生成する。状況シミュレーションユニットは、第２の作動特性に対応する、第３のシミュレーション対象物または第４のシミュレーション対象物における作動特性を判定することにより、第３または第４のデバイスを作動させる。第２の検知機能は、第１の検知機能と同じ物理的または化学的特性を検知するために使用され得る。
【００１３】
一観点では、本発明は、異なる複数の通信プロトコルを使用して複数の外部デバイスを管理するためのシミュレーション対象物の管理システムを提供する。複数の外部デバイスのうちの１つは、第１の検知機能を有する。シミュレーション対象物の管理システムは、複数の外部デバイスとの通信変換を行うよう構成された少なくとも１つのコントローラーと、制御プロトコルにより、変換された通信コンテンツに応じて、複数の外部デバイスに対応する複数のシミュレーション対象物を生成する状況シミュレーションユニットとを含むゲートウェイとを含む。複数のシミュレーション対象物は、第１の検知機能に対応する第１の検知特性を有し、状況シミュレーションユニットは、第１の検知特性に対応する複数のシミュレーション対象物における対応する作動特性を判定することにより、複数の外部デバイスのうちの少なくとも１つを作動させる。
【００１４】
一実施形態では、複数の外部デバイスはそれぞれ、第１の通信プロトコルおよび第２の通信プロトコルによって通信する。複数の外部デバイスは、異なる複数の通信プロトコルにより、状況シミュレーションユニットとの通信変換を行うために、少なくとも１つのコントローラーを使用し、状況シミュレーションユニットは、制御プロトコルにより、変換された通信コンテンツに応じて、複数のシミュレーション対象物を生成する。
【００１５】
一実施形態では、第１の検知特性が作動条件に適合する場合、状況シミュレーションユニットは、対応する複数のシミュレーション対象物における作動特性を判定して、対応する複数の外部デバイスのうちの１つ、または、対応する複数の外部デバイスを作動させる。
【００１６】
一実施形態では、複数の外部デバイスのうちの１つに対応する第１の検知機能を有するシミュレーション対象物に加えて、複数の外部デバイスのうちの別の１つは、第１の検知機能と同じ物理的または化学的特性を検知するための第２の検知機能を有する別のシミュレーション対象物を有する。状況シミュレーションユニットは、少なくとも１つの別の対応する外部デバイスを作動させるために、第２の検知機能に対応する少なくとも１つのシミュレーション対象物における作動特性を判定する。
【００１７】
本発明の目的、技術的詳細、特徴、および効果は、図面を参照することにより、以下の実施形態の詳細な説明に関して、よりよく理解されるであろう。
【図面の簡単な説明】
【００１８】
【図１】本発明の一実施形態によるシミュレーション対象物のシステムの概略図を示す。
【図２】本発明の一実施形態によるシミュレーション対象物のシステムの概略図を示す。
【図３】本発明による種々の通信プロトコルおよびシミュレーション対象物のシステム間の比較を示す。
【図４】本発明の一実施形態によるシミュレーション対象物のシステムの概略図を示す。
【図５】本発明の一実施形態によるシミュレーション対象物のシステムの概略図を示す。
【発明を実施するための形態】
【００１９】
本発明は、特定の好適な実施形態を参照してかなり詳細に説明している。この説明は、例示的な目的のためであり、本発明の範囲を限定するためでないことが理解されるべきである。当業者は、本発明の趣旨内において、変形および修正を容易に想到し得る。それに加えて、本発明の実施形態または請求項は、上述した目的、利点、または特徴すべてを達成する、または含む必要はない。要約書および名称は、調査を補助するために提供されており、本発明の範囲に対する限定と解されるべきでない。前述した実施形態の各々が単独で使用されることに限定されず、本発明の趣旨の下では、前述した実施形態のうちの２つ以上を組み合わせて使用され得る。例えば、上記実施形態のうちの２つ以上を同時に使用され得るか、または、一実施形態の一部が使用され、別の実施形態の対応する部分を置き換え得る。
【００２０】
本発明の一実施形態によるシミュレーション対象物の管理システム１００が示される図１を参照されたい。シミュレーション対象物の管理システム１００は、第１のデバイス１１と、第２のデバイス１２と、ゲートウェイ１５とを含む。ゲートウェイ１５は、コントローラー１５ａと、状況シミュレーションユニット１５ｂとを含む。第１のデバイス１１は、第１の検知機能を有するか、または、第１の検知機能および第１の作動機能を有する。例えば、第１の検知機能は、温度、湿度、輝度、動き、健康指標、強盗の侵入、ドアおよび窓のスイッチ、圧力、音、紫外線、赤外線、電流、電圧、ガス成分、ガス流量、水流量、または煙の検知機能を含む。第１の作動機能は、空調器、扇風器、電気暖房器、除湿器、光源、警報器、ドアの錠、ドアスイッチおよび窓スイッチ、台所用電気製品、入浴設備、音声映像機器、空気圧調節機器、音声機器およびビデオの録音録画機器、スピーカー、医療減菌器、緊急避難指示機器、電源スイッチ、またはガススイッチの作動を含み得る。第２のデバイス１２は第２の作動機能を含む。第２の作動機能は、空調器、扇風器、電気暖房器、除湿器、光源、警報器、ドアの錠、ドアスイッチおよび窓スイッチ、台所用電気製品、入浴設備、音声映像機器、空気圧調節機器、音声機器およびビデオの録音録画機器、スピーカー、医療減菌器、緊急避難指示機器、電源スイッチ、またはガススイッチの作動機能を含み得る。第１および第２のデバイス１１、１２の少なくとも１つは、第１の通信プロトコルＰｒｏｔ１によって通信する。ゲートウェイ１５は、異なる通信プロトコルにより、少なくとも１つのコントローラー１５ａによる、第１および第２のデバイス１１、１２間の通信変換を行う（図１は１つのコントローラー１５ａの実施形態を示し、図２は２つのコントローラー１５ａの実施形態を示す）。コントローラー１５ａは、第１の通信Ｐｒｏｔ１と制御プロトコルＰｒｏｔｃとの間で（デバイス１１、１２と状況シミュレーションユニット１５ｂとの間で）通信変換を行うために状況シミュレーションユニット１５ｂとデバイス１１、１２との間で接続される。状況シミュレーションユニット１５ｂは、第１のデバイス１１に対応する第１のシミュレーション対象物１５１、および第２のデバイス１２に対応する第２のシミュレーション対象物１５２に通信コンテンツを変換する。
【００２１】
第１のシミュレーション対象物１５１は、第１の検知機能に対応する第１の検知特性（例えば、温度、湿度、輝度、動き、健康指標、強盗の侵入、ドアおよび窓のスイッチ、圧力、音、紫外線、赤外線、電流、電圧、ガス成分、ガス流量、水流量、または煙の検知特性）を有する。ゲートウェイ１５は、複数のデバイスのうちの少なくとも１つを作動させるために、第１の検知特性に対応する、シミュレーション対象物１５１または１５２における作動特性（例えば、空調器、扇風器、電気暖房器、除湿器、光源、警報器、ドアの錠、ドアスイッチおよび窓スイッチ、台所用電気製品、入浴設備、音声映像機器、空気圧調節機器、音声機器およびビデオの録音録画機器、医療減菌器、緊急避難指示機器、電源スイッチ、またはガススイッチ）を判定する。例えば、第１のデバイス１１は、温度検知および温度調節機能を有する空調設備である。第２のデバイス１２は、光源である。ゲートウェイ１５は、第１のデバイス１１について変換された通信コンテンツに応じて、第１のデバイス１１に対応する空調対象物（第１のシミュレーション対象物１５１）を生成する。空調対象物は、温度検知特性および空調作動特性を有する。ビル（または、ビル内のスペースまたは部屋）内の温度が高すぎる（温度検知特性が所定値を超えるか、または作動要件に適合する）場合、コントローラー１５ａを使用して第１のデバイス１１の空調設備を作動させるか、または、空調設備の温度調節機能を作動させるために、ゲートウェイ１５は、温度検知特性（第１の検知特性）に応じてシミュレーション対象物１５１の空調特性を判定する。
【００２２】
一実施形態では、第１のデバイス１１および第２のデバイス１２は、同様に第１の作動機能を有するか、または第２のデバイス１２は、第１のデバイス１１と同様の作動機能を有する。例えば、第１および第２のデバイス１１、１２の両方が空調作動機能を有する場合、ゲートウェイ１５は、コントローラー１５ａを使用して、第１および第２のデバイス１１、１２の空調設備を作動させるか、または、空調設備の温度調節機能を作動させるために、温度検知特性（第１の検知特性）に応じて第１および第２のシミュレーション対象物１５１、１５２の空調作動特性を判定する。
【００２３】
上述した実施形態では、ゲートウェイ１５は第１および第２のシミュレーション対象物１５１、１５２における作動特性を同時に判定し、シミュレーション対象物の判定ステップは優先順位付けされない。
【００２４】
本発明によるシミュレーション対象物の管理システム２００が示される図２を参照されたい。シミュレーション対象物の管理システム２００は、第１のデバイス１１と、第２のデバイス１２と、ゲートウェイ１５とを含む。第１のデバイス１１は、第１の通信プロトコルＰｒｏｔ１によって通信し、第２のデバイス１２は、第２の通信プロトコルＰｒｏｔ２によって通信する。第１および第２のデバイス１１、１２は、２つのコントローラー１５ａをそれぞれ使用することにより、ゲートウェイ１５との異なる通信プロトコルの通信変換を行う。コントローラー１５ａは、変換された通信変換コンテンツに応じて、第１のシミュレーション対象物１５１と、第２のシミュレーション対象物１５２とを生成する。
【００２５】
一実施形態では１つの特定のコントローラー１５ａの機能が２つの通信プロトコルの間の変換に限定されず、３つ以上の通信プロトコル間の変換であり得る図２を参照されたい。例えば、１つのコントローラー１５ａは、制御プロトコルＰｒｏｔｃ、第２のデバイス１２の第２の通信プロトコルＰｒｏｔ２、および第３のデバイス１３の第１の通信プロトコルＰｒｏｔ１の間の通信変換に使用され得る。状況シミュレーションユニット１５ｂは、第３のデバイス１３について変換された通信コンテンツに応じて第３のシミュレーション対象物１５３を生成し得る。必要に応じて、ユーザーは、実施目的のために本発明の特徴を修正することが可能である。例えば、第３のデバイス１３の通信プロトコルは、第１の通信プロトコルＰｒｏｔ１に限定されず、別の通信プロトコルであり得る。
【００２６】
前述したシミュレーション対象物は、ゲートウェイ１５により、変換された通信コンテンツに応じて生成される。シミュレーション対象物は、従来技術に対して、単純および柔軟な動作という利点を有する。特に、ビル内の種々のデバイスの複数の通信プロトコルは通常、異なっており、本発明のスマート管理システムの重要性は明らかである。ユーザーは、デバイスとゲートウェイ１５との間の通信を構築する必要があるだけであり、その後に、必要な管理コントロールが、ユーザーインターフェースにおいて、自動的に動作され得る。ユーザーインターフェースは、例えば、対象物の動作のためのグラフィカルユーザーインターフェース、および各デバイスとゲートウェイ１５との間の通信を含む。これらの対象物および通信は、ユーザーインターフェースにおける入力、アイコンのスライド（icon sliding）またはアイコンのリンク（icon linking）などの一般的な方法によって構築することが可能である。
【００２７】
一実施形態では、シミュレーション対象物の管理システムは、モノのインターネット（ＩｏＴ）において使用される。
【００２８】
一実施形態では、第１または第２の通信プロトコルは、無線通信プロトコルおよび／または有線通信プロトコルを含む。無線通信プロトコルは、ＷＩＦＩ（ワイファイ）、Ｗｉ−ＳＵＮ（ワイサン）、Ｍｏｄｂｕｓ（モドバス）、Ｚｉｇｂｅｅ（ジグビー）、ＩＱＲＦ、Ｔｈｒｅａｄ（スレッド）またはＺＷＡＶＥ（ゼットウェーブ）を含む。有線通信プロトコルは、ＢＡＣｎｅｔ（バックネット）、ＬｏｎＷｏｒｋｓ（ロンワークス）、Ｍ−ｂｕｓ（エムバス）、Ｍｏｄｂｕｓ（モドバス）、ＤＡＬＩ（ダリ）、ＥｎＯｃｅａｎ（エンオーシャン）、ＲＳ４８５、ＲＳ２３２またはＫＮＸ（ケーエヌエックス）を含む。
【００２９】
一般に、ビル内で通信プロトコルを使用するデバイスの位置は、フィールド層（field layer）、オートメーション層（automation layer）、およびマネジメント層（management layer）に基づいて分類され得る。図３を参照すると、（図中のＢＡＣｎｅｔなどの）現行の通信プロトコルは、現行の通信プロトコルのいずれも、通信プロトコルの層のすべてを扱い得るように、フィールド層、オートメーション層、およびマネジメント層の通信機能のすべてを扱わない。本発明は、コントローラーおよび状況シミュレーションユニットによって使用される制御プロトコルを提供し、制御プロトコルは、システム内のデバイスによって使用される前述した通信プロトコルがフィールド層、オートメーション層、および管理層の通信機能を扱い得ない場合であっても、前述した通信プロトコルのすべてとの通信変換を実現し得る。本発明のシミュレーション対象物の管理システムは、この欠点を解消し、前述した通信プロトコルによって可能でない、水平フィールド層と、オートメーション層と、およびマネジメント層との間の通信機能を扱い得る。図３に示すような通信プロトコルは一般に使用されているものであって、単に例示的なものであり、本発明の範囲を限定することを意図するものでない。ユーザーは、要件に応じて、当該含まれる通信プロトコルを決定し得る。
【００３０】
一実施形態では、ゲートウェイ１５は、検知特性に応じて、シミュレーション対象物の技術的特徴を判定し得る。図１では、第１の検知特性が作動要件に適合する場合、ゲートウェイ１５は、対応するデバイスを作動させるために、シミュレーション対象物における作動特性を判定する。例えば、この作動要件は、検知された温度が所定の温度（例えば、２８℃）よりも高いと判断するという判定であり得る、所定の条件であり得る。あるいは、作動要件は、シミュレーション対象物の管理システム外部から入力されたコマンドであり得る。あるいは、作動要件は、所有者の車が所有者の家から２ｋｍ以内にある場合に、空調設備を事前に作動させるための判定であり得る。所有者が自分の家に到着すると、空調設備が事前に作動させられるので、家の中の屋内温度は快適である。
【００３１】
一実施形態では、作動要件は、コマンドを外部から設定または発行することによって決定され得る。コマンドを外部から設定または発行するためのデバイスには、モバイルデバイス（ＭＤ）、ステーション（ＳＴＡ）、モバイルコンピューター、ラップトップ，ノートブック、デスクトップ、モノのインターネット（ＩｏＴ）、モバイルネットワークデバイス、携帯コンピューター、携帯デバイス、ストレージデバイス、ＰＤＡデバイス、携帯ＰＤＡデバイス、車載デバイス、車両外デバイス、モバイルフォン、セルラーフォン、モバイルインターネットデバイス（ＭＩＤ）、音声デバイス、映像デバイス、Ａ／Ｖデバイス、ゲームデバイス、メディアプレイヤー、またはスマートフォンが含まれ得る。
【００３２】
本発明における判定される作動特性を有するシミュレーション対象物は、１つのシミュレーション対象物に限定されるものでない。例えば、シミュレーション対象物は、１つの部屋の中の２つの空調設備に対応し得る。この場合、状況シミュレーションユニットは、変換された通信コンテンツに応じて、少なくとも２つのシミュレーション対象物を生成する。ゲートウェイは、少なくとも２つの空調設備を作動させるために、少なくとも２つのシミュレーション対象物における作動特性を同時に判定する。
【００３３】
一実施形態では、本発明のシミュレーション対象物の管理システムが複数の部屋（スペース）に対応して使用される場合、１つの検知特性は、複数のデバイスを作動させることを決定するための１つのオプションである。通常、すべての部屋（スペース）は、それ自身の異なる検知要件を有し得る。例えば、貯蔵室およびリビングルームは、異なる温度要件を有する。シミュレーション対象物の管理システム３００が、さらに、第２の検知機能、または、第２の検知機能および第３の検知機能を含む第３のデバイス１３を含む図４に示す実施形態を参照されたい。第２の検知機能は、第１の検知機能と同じ物理的または化学的特性のための検知機能を有する。第１および第２の検知機能は、異なる部屋（スペース）の状態を検知するために使用され得る。したがって、ゲートウェイ１５は、第１および第２の検知機能の検知結果に応じて、異なる部屋（スペース）内のデバイスを作動させ得る。ゲートウェイ１５は、第３のデバイス１３の異なるプロトコルの間で通信を行うか、または、第３のデバイス１３および第４のデバイス１４の異なるプロトコルの間で通信を行うために、コントローラー１５を使用する。変換された通信コンテンツに応じて、ゲートウェイ１５は、第３のデバイス１３に対して第３のシミュレーション対象物１５３を生成するか、または、第３および第４のデバイス１３、１４にそれぞれが対応する第３および第４のシミュレーション対象物１５３、１５４を生成する。第２の検知特性によれば、状況シミュレーションユニット１５ｂは、第３および第４のシミュレーション対象物１５３、１５４における対応する作動特性を判定することにより、第３および第４のデバイス１３、１４を作動させる。
【００３４】
一実施形態では、前述したシミュレーション対象物の管理システム１００、２００、または３００におけるコントローラー１５ａの配置は、要件に応じて調節され得る。例えば、コントローラー１５ａのすべてが、１つのコントローラーに一体化されるか、または、コントローラー１５ａの一部分が、１つのコントローラーに一体化されるか、または、コントローラー１５ａのすべてが、対応するデバイスと状況シミュレーションユニット１５ｂとの間に別個に接続される。
【００３５】
例えば、前述したシミュレーション対象物の管理システムとして、第１、第２、第３、および第４のデバイス１１、１２、１３、および１４、コントローラー１５ａ、ゲートウェイ１２、ならびに、第１、第２、第３、および第４のシミュレーション対象物１５１、１５２、１５３、および１５４を同様に含む、図５に示すシミュレーション対象物の管理システム４００を参照する。図４と異なり、図５中のゲートウェイ１５は、第１および第２のデバイス１１、１２と別個に通信変換を行うために、異なるコントローラー１５ａを使用する。
【００３６】
重要なことに、前述した実施形態は、２つのデバイスまたは４つのデバイスでそれぞれ説明しており、当該デバイスの数は例示的な目的のためだけであり、実施形態ではデバイスの数を限定することを意図するものでない。ユーザーは、必要に応じて、デバイスの数を調節するか、または、増加させ得、これはなお、本発明によって請求された請求の範囲の範囲内にある。
【００３７】
一観点では、本発明は、異なる複数の通信プロトコルを使用する複数の外部デバイス（例えば、前述した第１、第２、第３、および第３のデバイス）を管理するための、前述したコントローラーおよび状況シミュレーションユニットを含む、シミュレーション対象物の管理システムをさらに提供する。複数の外部デバイスのうちの１つ（例えば、前述した第１のデバイス）は、前述した第１の検知機能を含む。コントローラーは、複数の外部デバイスとの通信変換を行うために使用される。状況シミュレーションユニットは、変換された通信コンテンツに応じて、複数の外部デバイスにそれぞれが対応する複数のシミュレーション対象物を生成する。上記複数のシミュレーション対象物は、第１の検知機能に対応する第１の検知特性を含む。状況シミュレーションユニットは、第１の検知特性に応じてシミュレーション対象物における作動特性を判定することにより、複数の外部デバイスのうちの少なくとも１つを作動させる。
【００３８】
各外部デバイスの動作、および上記外部デバイスが、どのようにして状況シミュレーションユニットとの通信変換を動作させるかに関しては、前述した実施形態の説明を参照されたく、詳細は、本明細書では補足説明するものでない。
【００３９】
本発明のシミュレーション対象物の管理システムの前述した利点は、使用の利便性、セットアップの容易性、および種々の通信プロトコルを扱う容易性である。
【００４０】
上記に鑑みて、本発明は、上記好適な実施形態において開示しているが、本発明の範囲を限定することを意図するものでない。当業者は、本発明の趣旨から逸脱することなく、種々の変更および修正を行い得る。したがって、本発明の範囲は、添付の請求の範囲に基づく。
【図１】
2020017270.tif 000003
【図２】
2020017270.tif 000004
【図３】
2020017270.tif 000005
【図４】
2020017270.tif 000006
【図５】
2020017270.tif 000007
【外国語明細書】
2020017270000001.pdf
2020017270000002.pdf
2020017270000003.pdf
2020017270000004.pdf